【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
遊技機を管理する装置であって、
遊技機に関する情報の処理を行う処理手段と、情報出力を行う出力手段と、を備え、
前記処理手段は、
調整作業を行うことを指示された総ての遊技機の夫々が調整作業の対象であることを示す情報を、前記出力手段に出力することを特徴とする遊技機管理装置。
【請求項２】
請求項１において、
前記処理手段は、さらに、
調整作業を行うことを指示された総ての遊技機の内で既に調整作業を行ったものと未だ調整作業を行っていないものとを判別可能に前記出力手段に出力することを特徴とする遊技機管理装置。
【請求項３】
請求項２において、
前記処理手段は、さらに、
前記未だ調整作業を行っていないものが存在する場合には、前記出力手段に注意喚起を促す出力を行うことを特徴とする遊技機管理装置。
【請求項４】
請求項２および３のいずれかにおいて、
既に調整作業を行った遊技機から供給される遊技データを記憶しておく記憶手段を備え、
前記処理手段は、さらに、
前記記憶手段の記憶内容を参照して、既に調整作業を行った遊技機の遊技データを前記出力手段に出力することを特徴とする遊技機管理装置。
【請求項５】
遊技機を管理する方法であって、
台番号と機種と遊技機の調整状態を示す遊技機調整ステータスと調整作業内容とを対応付けて記憶可能な遊技機調整テーブル、および、機種と機種の調整状態を示す機種調整ステータスとを対応付けて記憶可能な機種テーブルを記憶手段に格納しておき、
処理手段が、
調整作業対象となる機種が選択されると、この機種の機種調整ステータスを候補として前記機種テーブルに記憶すると共に、この機種に属する遊技機の遊技機調整ステータスも候補として前記遊技機調整テーブルに記憶していき、
調整作業が終了した遊技機の台番号に対して、この調整内容を調整作業内容として記憶すると共に、その遊技機調整ステータスを済みにして前記遊技機調整テーブルに記憶していき、
当該候補機種に属する総ての遊技機の遊技機調整ステータスが済みになった場合に、当該機種の機種調整ステータスを済みとして前記機種テーブルに記憶していくことを特徴とする遊技機管理方法。
【請求項６】
請求項５において、
さらに、台番号と遊技データとを対応づけて記憶した遊技データテーブルを記憶手段に格納しておき、
処理手段は、さらに、
遊技データ出力の指示が与えられると、前記遊技機調整テーブルを検索して遊技機調整ステータスが済みとなっているものの台番号を索出し、
前記遊技データテーブルを検索して、前記索出した台番号に対応する遊技データを索出して、索出した遊技データと前記索出した台番号とを対応付けて出力手段に出力することを特徴とする遊技機管理方法。
【請求項７】
プログラムを記憶したコンピュータ読取可能な記憶媒体であって、
請求項５および６のいずれかに記載の遊技機管理方法を実行するための遊技機管理プログラムを記録した記憶媒体。
【手続補正２】
【補正対象書類名】明細書
【補正対象項目名】０００１
【補正方法】変更
【補正の内容】
【０００１】
【発明の属する技術分野】
本発明は、パチンコ機やパチスロ機の釘調整結果等を管理するための装置および方法ならびにこの方法を実行するためのプログラムを記憶した記憶媒体に関する。
【手続補正３】
【補正対象書類名】明細書
【補正対象項目名】００１６
【補正方法】変更
【補正の内容】
【００１６】
【課題を解決するための手段】
上記目的を達成するために、請求項１に係る発明は、遊技機を管理する装置であって、
遊技機に関する情報の処理を行う処理手段と、情報出力を行う出力手段と、を備え、
前記処理手段は、
調整作業を行うことを指示された総ての遊技機の夫々が調整作業の対象であることを示す情報を、前記出力手段に出力することを特徴とする遊技機管理装置を提供する。
【手続補正４】
【補正対象書類名】明細書
【補正対象項目名】００１７
【補正方法】変更
【補正の内容】
【００１７】
ここで「調整作業」とは、遊技盤上に実際に釘が設けられているパチンコ機等に対しては釘調整作業を意味し、釘が設けられていないパチスロ機等に対しては、特賞確率を適切なものに調整すること等を意味する。また、出力手段としては、ＣＲＴ、液晶装置、ＥＬ装置等の表示装置やプリンター等の印刷装置等が挙げられるが、出力手段はこれらの装置に限定されない。
【手続補正５】
【補正対象書類名】明細書
【補正対象項目名】００１８
【補正方法】変更
【補正の内容】
【００１８】
この発明によれば、調整作業を行うべき遊技機が出力手段に出力されるので、作業者が調整作業すべき遊技機を把握することが容易になる。
また、請求項２に係る発明は、請求項１において、
前記処理手段は、さらに、
調整作業を行うことを指示された総ての遊技機の内で既に調整作業を行ったものと未だ調整作業を行っていないものとを判別可能に前記出力手段に出力することを特徴とする。
【手続補正６】
【補正対象書類名】明細書
【補正対象項目名】００１９
【補正方法】変更
【補正の内容】
【００１９】
この発明によれば、既に調整作業を行ったものと未だ調整作業を行っていないものとを判別することができ、調整作業漏れが無いようにすることが可能となる。
また、この発明において、さらに、前記処理手段は、遊技機グループ単位（例えば島単位）に、調整作業を行うことを指示された総ての遊技機の内で既に調整作業を行ったものと未だ調整作業を行っていないものとを判別可能に前記出力手段に出力することを特徴とする遊技機管理装置も提案される。
【手続補正７】
【補正対象書類名】明細書
【補正対象項目名】００２０
【補正方法】変更
【補正の内容】
【００２０】
また、請求項３に係る発明は、請求項２において、
前記処理手段は、さらに、
前記未だ調整作業を行っていないものが存在する場合には、前記出力手段に注意喚起を促す出力を行うことを特徴とする。
【手続補正８】
【補正対象書類名】明細書
【補正対象項目名】００２２
【補正方法】変更
【補正の内容】
【００２２】
この発明によれば、未だ調整を行っていない遊技機が存在する場合には、出力手段に注意喚起を促す出力を行うので、未だ調整を行っていない遊技機が存在することの把握が容易となり調整作業漏れが無いようにすることが可能となる。
【手続補正９】
【補正対象書類名】明細書
【補正対象項目名】００２３
【補正方法】変更
【補正の内容】
【００２３】
さらに、請求項４に係る発明は、請求項２および３のいずれかにおいて、
既に調整作業を行った遊技機から供給される遊技データを記憶しておく記憶手段を備え、
前記処理手段は、さらに、
前記記憶手段の記憶内容を参照して、既に調整作業を行った遊技機の遊技データを前記出力手段に出力することを特徴とする。
【手続補正１０】
【補正対象書類名】明細書
【補正対象項目名】００２４
【補正方法】変更
【補正の内容】
【００２４】
この発明によれば、既に調整作業を行った遊技機の遊技データを出力手段に出力するので、調整作業済みの遊技機の遊技データを追跡することが可能となる。
なお、以上説明してきた処理手段の動作は、ＣＰＵが記憶媒体に記録しておいた処理プログラムにしたがった処理を行うようにして実現することができる。このような記憶媒体としては、ＲＯＭ、ＩＣカード等の半導体記憶媒体、ＣＤＲＯＭ、ＤＶＤＲＯＭ等の光記憶媒体、ＦＤ等の磁気記憶媒体、ＭＯ等の光磁気記憶媒体が挙げられる。
【手続補正１１】
【補正対象書類名】明細書
【補正対象項目名】００２５
【補正方法】変更
【補正の内容】
【００２５】
また、請求項５に係る発明は、遊技機を管理する方法であって、
台番号と機種と遊技機の調整状態を示す遊技機調整ステータスと調整作業内容とを対応付けて記憶可能な遊技機調整テーブル、および、機種と機種の調整状態を示す機種調整ステータスとを対応付けて記憶可能な機種テーブルを記憶手段に格納しておき、
処理手段が、
調整作業対象となる機種が選択されると、この機種の機種調整ステータスを候補として前記機種テーブルに記憶すると共に、この機種に属する遊技機の遊技機調整ステータスも候補として前記遊技機調整テーブルに記憶していき、
調整作業が終了した遊技機の台番号に対して、この調整内容を調整作業内容として記憶すると共に、その遊技機調整ステータスを済みにして前記遊技機調整テーブルに記憶していき、
当該候補機種に属する総ての遊技機の遊技機調整ステータスが済みになった場合に、当該機種の機種調整ステータスを済みとして前記機種テーブルに記憶していくことを特徴とする遊技機管理方法である。
【手続補正１２】
【補正対象書類名】明細書
【補正対象項目名】００２６
【補正方法】変更
【補正の内容】
【００２６】
この発明によれば、遊技機調整テーブルと機種テーブルを用いて、より少ないメモリ容量でしかも高速に遊技機の調整作業結果を管理することができる。
また、請求項６に係る発明は、請求項５において、
さらに、台番号と遊技データとを対応づけて記憶した遊技データテーブルを記憶手段に格納しておき、
処理手段は、さらに、
遊技データ出力の指示が与えられると、前記遊技機調整テーブルを検索して遊技機調整ステータスが済みとなっているものの台番号を索出し、
前記遊技データテーブルを検索して、前記索出した台番号に対応する遊技データを索出して、索出した遊技データと前記索出した台番号とを対応付けて出力手段に出力することを特徴とする。
【手続補正１３】
【補正対象書類名】明細書
【補正対象項目名】００２７
【補正方法】変更
【補正の内容】
【００２７】
この発明によれば、遊技データテーブルを用いて、より少ないメモリ容量でしかも高速に遊技データの追跡を行うことができる。
また、請求項７に係る発明は、プログラムを記憶したコンピュータ読取可能な記憶媒体であって、
請求項５および６のいずれかに記載の遊技機管理方法を実行するための遊技機管理プログラムを記録した記憶媒体である。
この発明によれば、遊技機管理プログラムが実行されて、調整作業結果の管理や遊技データの追跡が可能となる。
【手続補正１４】
【補正対象書類名】明細書
【補正対象項目名】００２８
【補正方法】変更
【補正の内容】
【００２８】
より詳細にはこの発明は以下のようになる。
即ち、プログラムを記憶した記憶媒体であって、台番号と機種と遊技機の調整状態を示す遊技機調整ステータスと調整作業内容とを対応付けて記憶可能な遊技機調整テーブル、および、機種と機種の調整状態を示す機種調整ステータスとを対応付けて記憶可能な機種テーブルを記憶装置に格納する処理と、
調整作業対象となる機種が選択されると、この機種の機種調整ステータスを候補として前記機種テーブルに記憶すると共に、この機種に属する遊技機の遊技機調整ステータスも候補として前記遊技機調整テーブルに記憶していく処理と、
調整作業が終了した遊技機の台番号に対して、この調整内容を調整作業内容として記憶すると共に、その遊技機調整ステータスを済みにして前記遊技機調整テーブルに記憶していく処理と、
当該候補機種に属する総ての遊技機の遊技機調整ステータスが済みになった場合に、当該機種の機種調整ステータスを済みとして前記機種テーブルに記憶していく処理と、をコンピュータに実行させるようにした遊技機管理プログラムを記憶した記憶媒体が提案される。
【手続補正１５】
【補正対象書類名】明細書
【補正対象項目名】００２９
【補正方法】変更
【補正の内容】
【００２９】
また、プログラムを記憶した記憶媒体であって、台番号と機種と遊技機の調整状態を示す遊技機調整ステータスと調整作業内容とを対応付けて記憶可能な遊技機調整テーブル、機種と機種の調整状態を示す機種調整ステータスととを対応付けて記憶可能な機種テーブル、および、台番号と遊技データとを対応づけて記憶した遊技データテーブルを記憶装置に格納する処理と、
調整作業対象となる機種が選択されると、この機種の機種調整ステータスを候補として前記機種テーブルに記憶すると共に、この機種に属する遊技機の遊技機調整ステータスも候補として前記遊技機調整テーブルに記憶していく処理と、
調整作業が終了した遊技機の台番号に対して、この調整内容を調整作業内容として記憶すると共に、その遊技機調整ステータスを済みにして前記遊技機調整テーブルに記憶していく処理と、
当該候補機種に属する総ての遊技機の遊技機調整ステータスが済みになった場合に、当該機種の機種調整ステータスを済みとして前記機種テーブルに記憶していく処理と、
さらに、遊技データ出力の指示が与えられると、前記遊技機調整テーブルを検索して遊技機調整ステータスが済みとなっているものの台番号を索出する処理と、
前記遊技データテーブルを検索して、前記索出した台番号に対応する遊技データを索出して、索出した遊技データと台番号とを対応付けて出力手段に出力するこ処理と、をコンピュータに実行させるようにした遊技機管理プログラムを記憶した記憶媒体も提案される。
【手続補正１６】
【補正対象書類名】明細書
【補正対象項目名】００３０
【補正方法】変更
【補正の内容】
【００３０】
【発明の実施の形態】
以下、本発明の実施の形態を図面を参照しつつ説明する。
図７に、本発明の実施の形態の遊技機管理装置１００を含むシステムの構成図を示す。このシステムは、複数のパチンコ機１１０ａ、１１０ｂ、…、１１０ｃと、複数のパチスロ機１２０ａ、１２０ｂ、…、１２０ｃと、遊技機管理装置１００とを有していて、各パチンコ機や各パチスロ機から、遊技データ等の必要な情報が通信ケーブル１３０を介して遊技機管理装置１００に送信されるように接続されている。なお、各パチンコ機や各パチスロ機には遊技機を識別するための識別子としての台番号が予め定められていて、遊技機側から遊技機管理装置１００側へ遊技データを送信する際に、同時に台番号を付加して遊技機管理装置１００側へ送信する。また、本実施の形態では、「釘調整」とは、遊技盤上に実際に釘が設けられているパチンコ機等に対しては釘調整作業を意味し、釘が設けられていないパチスロ機等に対しては、特賞確率を適切なものに調整すること等を意味するものとする。